(57)【要約】【課題】ハードウェアやソフトウェア変更を少なくして保護継電装置の表示部を変更できる。【解決手段】ＣＰＵユニット１は、外部とはＬＡＮ接続できるＬＡＮ接続用基板１Ｂを搭載し、表示部は、ＬＡＮ接続用基板を介して中央処理モジュール１ＡとＬＡＮ接続して保護継電装置の状態表示をするタッチパネル機能付き組み込み型ＰＣ４で構成する。この基本構成において、外部に保護継電状態の表示用ＰＣ３を接続する場合は、タッチパネル機能付き組み込み型ＰＣを取り外し、ＬＡＮ接続用基板と表示用ＰＣとをＬＡＮ接続する。  外部に保護継電状態の表示用ＰＣを接続する場合は、ＬＡＮ接続用基板からハブを介してタッチパネル機能付き組み込み型ＰＣおよび表示用ＰＣをＬＡＮ接続する。【選択図】図１
2008295218.tif 000002
【特許請求の範囲】
【請求項１】
保護対象からの各種情報を取り込んで保護演算する中央処理モジュールを搭載したＣＰＵユニットと、リレー動作情報や装置異常情報等を表示する表示部とを保護継電器盤に備えた保護継電装置において、
前記ＣＰＵユニットは、外部とはＬＡＮ接続できるＬＡＮ接続用基板を搭載し、
前記表示部は、前記ＬＡＮ接続用基板を介して前記中央処理モジュールとＬＡＮ接続して保護継電装置の状態表示をするタッチパネル機能付き組み込み型ＰＣで構成し、
保護継電装置の外部に保護継電状態の表示用ＰＣを接続する場合は、前記タッチパネル機能付き組み込み型ＰＣを取り外し、前記ＬＡＮ接続用基板と表示用ＰＣとをＬＡＮ接続する構成を特徴とする保護継電装置の状態表示方式。
【請求項２】
保護対象からの各種情報を取り込んで保護演算する中央処理モジュールを搭載したＣＰＵユニットと、リレー動作情報や装置異常情報等を表示する表示部とを保護継電器盤に備えた保護継電装置において、
前記ＣＰＵユニットは、外部とはＬＡＮ接続できるＬＡＮ接続用基板を搭載し、
前記表示部は、前記ＬＡＮ接続用基板を介して前記中央処理モジュールとＬＡＮ接続して保護継電装置の状態表示をするタッチパネル機能付き組み込み型ＰＣで構成し、
保護継電装置の外部に保護継電状態の表示用ＰＣを接続する場合は、前記ＬＡＮ接続用基板からハブを介して前記タッチパネル機能付き組み込み型ＰＣおよび前記表示用ＰＣをＬＡＮ接続する構成を特徴とする保護継電装置の状態表示方式。
【発明の詳細な説明】
【技術分野】
【０００１】
本発明は、保護継電装置の状態表示方式に係り、特に表示部の変更に関するものである。
【背景技術】
【０００２】
保護継電装置の高機能化・高密度化に伴い、１９９０年中頃からリレー動作情報や装置異常情報等を表示する表示部にはタッチパネルが使用されるようになった。保護継電装置の心臓部ともいえるＣＰＵユニットとタッチパネルとの接続は図４に示す構成となる。ＣＰＵユニット１内のＣＳＭ（Ｃｅｎｔｒａｌ  Ｓｅｒｖｉｃｅ  Ｍｏｄｕｌｅ：中央処理モジュール）１Ａと、タッチパネル２のタッチパネルコントローラ（ＴＰＣ）２Ａは、ＰＳＢ（Ｐａｒａｌｌｅｌ  Ｓｙｓｔｅｍ  Ｂｕｓ：パラレルシステムバス）を介して接続され、常に必要な情報を装置前面に設けられているタッチパネル上で表示できるような構成になっている。
【０００３】
ところが、近年、保護継電装置のコストダウンを図る目的でタッチパネルを装置から撤去し、代わりに汎用のノートパソコンを必要時に装置に接続することで装置内部の状態を確認する「別置型ＨＩ（Ｈｕｍａｎ  Ｉｎｔｅｒｆａｃｅ）方式」が採用されるようになってきた（例えば、特許文献１参照）。
【０００４】
この特許文献１では、プログラマブルコントローラ（ＰＣ）を中枢部とし、各種の入出力機能、共有メモリ、保護協調曲線演算機能、マンマシンインタフェイス機能を有する管理室のパソコンに接続することで、パソコンにユーザ入力をすればその指令に基づいて、整定値、電流、電圧データを表示するほかに、保護協調曲線を演算して曲線を表示したり、この曲線に電流電圧データを重ねて表示したりすることができる。
【０００５】
別置型ＨＩ方式の場合は図５に示す構成となる。ＣＰＵユニット１の中にＥｔｈ（Ｅｔｈｅｒｎｅｔ：イーサネット：登録商標）用基板１Ｂを１枚追加し、保護継電器盤からＬＡＮ（Ｌｏｃａｌ  Ａｒｅａ  Ｎｅｔｗｏｒｋ）のケーブルを引き出して汎用ＰＣ３に接続する構成になっており、装置内部には表示部を一切持たない。
【０００６】
別置型ＨＩ方式ではタッチパネル方式に対してＥｔｈ用基板が追加されているが、Ｅｔｈ用基板の価格よりも表示部の価格の方がはるかに高価であるため、保護継電装置全体の価格としては別置型ＨＩ方式の方が安くなるため、コストダウンが図れる。
【０００７】
なお、図４、５における各構成要素は下記の表の通りになり、一部正式名称を補足して示す。このうち、ＣＳＭ１Ａは保護対象からの各種情報をＡＩやＤＩ／ＤＯから取り込んで保護演算する機能構成になる。
【０００８】
【表１】
2008295218.tif 000003
【特許文献１】特開平１０−１５５２３１号公報
【発明の開示】
【発明が解決しようとする課題】
【０００９】
タッチパネル方式と別置型ＨＩ方式では表示方式が異なるため、図５中のＣＳＭとＥｔｈの２種類の基板に組み込まれるソフトウェアが共通化できていない。基本的な保護機能は全く同一であるにも関わらず、表示方式が異なるというだけの理由で基板内のソフトウェアを修正するのはソフトウェア製作者の作業を煩雑化させるうえに、複数のソフトウェアを管理することにもなり、あまり効率の良い構成であるとは言えない。
【００１０】
保護継電装置のコストダウンという観点から、最近ではタッチパネル方式よりも別置型ＨＩ方式の方が普及してきてはいるものの、ユーザによっては「過去に納入したシステムと共通化を図りたい」という考えからタッチパネル方式を要望するケースもあり、まだしばらくの間は両方の表示方式の保護継電装置を生産する必要がある。
【００１１】
本発明の目的は、ハードウェアやソフトウェアの変更を少なくして保護継電装置の表示部を変更できる保護継電装置の状態表示方式を提供することにある。
【課題を解決するための手段】
【００１２】
本発明は、前記の課題を解決するため、保護継電器盤にはタッチパネル機能付き組み込み型ＰＣを搭載し、これとＣＰＵユニットに搭載するＬＡＮ接続用基板でＬＡＮ接続した基本構成とし、別置型ＨＩ方式への変更にはＥｔｈ用基板から表示用ＰＣにＬＡＮ接続、またはハブを追加して表示用ＰＣにＬＡＮ接続するようにしたもので、以下の構成を特徴とする。
【００１３】
（１）保護対象からの各種情報を取り込んで保護演算する中央処理モジュールを搭載したＣＰＵユニットと、リレー動作情報や装置異常情報等を表示する表示部とを保護継電器盤に備えた保護継電装置において、
前記ＣＰＵユニットは、外部とはＬＡＮ接続できるＬＡＮ接続用基板を搭載し、
前記表示部は、前記ＬＡＮ接続用基板を介して前記中央処理モジュールとＬＡＮ接続して保護継電装置の状態表示をするタッチパネル機能付き組み込み型ＰＣで構成し、
保護継電装置の外部に保護継電状態の表示用ＰＣを接続する場合は、前記タッチパネル機能付き組み込み型ＰＣを取り外し、前記ＬＡＮ接続用基板と表示用ＰＣとをＬＡＮ接続する構成を特徴とする。
【００１４】
（２）保護対象からの各種情報を取り込んで保護演算する中央処理モジュールを搭載したＣＰＵユニットと、リレー動作情報や装置異常情報等を表示する表示部とを保護継電器盤に備えた保護継電装置において、
前記ＣＰＵユニットは、外部とはＬＡＮ接続できるＬＡＮ接続用基板を搭載し、
前記表示部は、前記ＬＡＮ接続用基板を介して前記中央処理モジュールとＬＡＮ接続して保護継電装置の状態表示をするタッチパネル機能付き組み込み型ＰＣで構成し、
保護継電装置の外部に保護継電状態の表示用ＰＣを接続する場合は、前記ＬＡＮ接続用基板からハブを介して前記タッチパネル機能付き組み込み型ＰＣおよび前記表示用ＰＣをＬＡＮ接続する構成を特徴とする。
【発明の効果】
【００１５】
以上のとおり、本発明によれば、保護継電器盤にはタッチパネル機能付き組み込み型ＰＣを搭載し、これとＣＰＵユニットに搭載するＬＡＮ接続用基板でＬＡＮ接続した基本構成とし、別置型ＨＩ方式への変更にはＥｔｈ用基板から表示用ＰＣにＬＡＮ接続、またはハブを追加して表示用ＰＣにＬＡＮ接続するようにしたため、ハードウェアやソフトウェア変更を少なくして保護継電装置の表示部を変更できる。
【発明を実施するための最良の形態】
【００１６】
（実施形態１）タッチパネル機能付きＰＣによる表示方式
近年、ＦＡ機器や携帯型情報端末への適用をターゲットとしたタッチパネル機能付き組み込み型ＰＣ（以下、ＴＰ−ＰＣ（Ｔｏｕｃｈ  Ｐａｎｅｌ−Ｐｅｒｓｏｎａｌ  Ｃｏｍｐｕｔｅｒ）と略す）が市場で販売されており、これを保護継電装置に利用する事でＣＰＵユニット内のソフトウェアを共通化できるようにする。
【００１７】
図１は、本実施形態のシステム構成例を示す。同図の（ａ）は保護継電装置の基本システムを示し、図５と同様に、ＣＰＵユニット１内には、Ｅｔｈ用基板１Ｂを設け、保護継電器盤からＬＡＮ接続でタッチパネル機能付き組み込み型ＴＰ−ＰＣ４に接続する表示部構成とし、常に必要な情報を装置前面に設けられているタッチパネル上で表示できるような構成になっている。
【００１８】
すなわち、ＴＰ−ＰＣ４はＬＡＮ機能をサポートしているので、別置型ＨＩ方式と同様にＣＰＵユニット内部のＥｔｈ用基板１ＢからＬＡＮケーブルを引き出してＴＰ−ＰＣ４に接続するよう構成する。
【００１９】
図２はＴＰ−ＰＣ４の具体的な外観例を示す。寸法３２０×２４６ｍｍの枠構成とし、左側面にＣＦカードコネクタ４Ａや各種のコネクタ（キーボード、マウス用など）を設け、右側面にＰＣＭＣＩＡスロットやコネクタを設ける。
【００２０】
このような構成とすることで、図１の（ｂ）に示すように、表示変更には、Ｅｔｈ用基板１Ｂから引き出されているＬＡＮケーブルの接続先をＴＰ−ＰＣ４から保護継電装置外部の表示用ＰＣ３に変更するだけで、別置型ＨＩ方式への対応が可能となり、ＣＰＵユニット内部の構成は、ハードウェア、ソフトウェア共に変更の必要性が無くなる。
【００２１】
（実施形態２）リモート監視機能にも対応した表示方式
保護継電装置は一般に無人変電所に設置されることが多い。従来は遠方監視制御装置（テレコン）経由で“保護継電装置動作”や“保護継電装置異常発生”といった集約情報が遠方の制御所に送られ、それを確認した監視員が詳細情報を把握するために現場へ赴くという運用形態がとられていたが、最近では詳細情報までを遠方の制御所で把握し、内容の緊急性に応じて対応の緩急性（直ちに現場へ赴くか、別途日を改めて現場へ赴くか）を直ちに決定する運用形態（いわゆる遠隔運用化）のニーズが高まってきている。
【００２２】
既に一部のユーザでは遠隔運用化は実現されているものの、それらは全て図１の（ｂ）に示すようなシステム構成で実現されている。
【００２３】
すなわち、図１の（ｂ）における表示用ＰＣ３を遠方の制御所に設置すれば遠隔運用化になるが、装置自体には詳細情報を表示するための表示部は実装されていない。したがって、現場で装置の詳細情報を確認する場合には作業者が表示用ＰＣ３を現場に持参していく必要があり、移動時の煩わしさを伴っていた。
【００２４】
本実施形態では、実施形態１で説明したＴＰ−ＰＣ４を搭載した基本構成とすることで、図３に示すように、保護継電盤自体には、Ｅｔｈ用基板１Ｂからハブ５を介してＴＰ−ＰＣ４の表示部を実装させた形態で、ハブ５からユーザネットワークを通して遠方制御所の表示用ＰＣ６に接続可能にする。
【００２５】
このシステム構成により、遠隔運用が可能となるため、監視員や作業者が現場へ移動する際に表示用ＰＣ６を持参する必要がなく、ＴＰ−ＰＣ４により詳細情報を確認することが可能となる。
【図面の簡単な説明】
【００２６】
【図１】本発明の実施形態１を示すシステム構成例。
【図２】ＴＰ−ＰＣの具体的な外観例。
【図３】本発明の実施形態２を示すシステム構成例。
【図４】従来のタッチパネル方式の構成例。
【図５】従来の別置型ＨＩ方式の構成例。
【符号の説明】
【００２７】
１  ＣＰＵユニット
１Ａ  ＣＳＭ
１Ｂ  ＬＡＮ接続用基板
２  タッチパネル
３  表示用ＰＣ
４  タッチパネル機能付き組み込み型ＰＣ（ＴＰ−ＰＣ）
５  ハブ
６  表示用ＰＣ
【図１】
2008295218.tif 000004
【図２】
2008295218.tif 000005
【図３】
2008295218.tif 000006
【図４】
2008295218.tif 000007
【図５】
2008295218.tif 000008